(57)【要約】【課題】より高音質な音を聴取者に提供できる電子カメラを提供する。【解決手段】モニタＭからの音信号に関する情報に応じて、以下の音信号処理を行う。モニタＭの設定音量が（小）であるから、その設定状態で中程度の音量になるよう、音信号を増幅する。又、モニタＭの設定音質が（低域強調）であるから、フラット特性になるように、音信号にハイパスフィルタ等を適用する。更に、記憶されている音信号がモノラル対応の場合、それに疑似ステレオ化処理を施す。又、モニタＭの設定バランスが（左１：右２）である場合、聴取者の位置に合っているはずであるから、それは変更しないが、（左１：右１）となるように変更しても良い。【選択図】    図３
2004343484.tif 000002
【特許請求の範囲】
【請求項１】
光学像を画像信号に変換して取得する撮像部と、
画像信号と音信号とを記憶する記憶部と、
前記記憶部に記憶された画像信号と音信号とを外部のモニタに送信するインタフェース部と、
前記インタフェース部を介して前記外部のモニタから音再生に関する情報を入力し、前記音再生に関する情報に応じて前記音信号を処理する音信号処理部とを有することを特徴とする電子カメラ。
【請求項２】
前記外部のモニタに対して、前記記憶部に記憶された画像信号と音信号とを送信する前に、前記インタフェース部を介して前記外部のモニタから音再生に関する情報を入力することを特徴とする請求項１に記載の電子カメラ。
【請求項３】
前記音信号の処理とは、音量の変更、音質の変更、ステレオ信号／モノラル信号の切り替え、ステレオ信号におけるバランスの変更の少なくとも一つを含むことを特徴とする請求項１又は２に記載の電子カメラ。
【請求項４】
光学像を画像信号に変換して取得する撮像部と、
画像信号と音信号とを記憶する記憶部と、
前記記憶部に記憶された画像信号と音信号とを外部のモニタに送信するインタフェース部と、
前記外部のモニタに対して出力する音信号の処理内容を選択する選択手段と、
前記選択手段によって選択された処理内容に応じて、前記音信号を処理する音信号処理部とを有することを特徴とする電子カメラ。
【請求項５】
前記音信号の処理とは、音量の変更、音質の変更、ステレオ信号／モノラル信号の切り替え、ステレオ信号におけるバランスの変更の少なくとも一つを含むことを特徴とする請求項４に記載の電子カメラ。
【請求項６】
光学像を画像信号に変換して取得する撮像部と、
前記画像信号取得時における撮像情報と、前記画像信号取得時におけるユーザー設定情報の少なくとも一方を記憶する情報記憶部と、
画像信号と音信号とを記憶する記憶部と、
前記情報記憶部に記憶された情報に基づいて、前記音信号を処理する音信号処理部とを有することを特徴とする電子カメラ。
【請求項７】
前記記憶部に記憶された画像信号と、処理後の音信号とを外部のモニタに送信するインタフェース部を有し、前記音信号処理部は、前記外部のモニタに対して、前記記憶部に記憶された画像信号と音信号とを送信する前に、前記インタフェース部を介して前記外部のモニタから音再生に関する情報を入力し、前記音再生に関する情報及び前記情報記憶部に記憶されていた情報とに応じて前記音信号を処理することを特徴とする請求項６に記載の電子カメラ。
【発明の詳細な説明】
【０００１】
【発明の属する技術分野】
本発明は、電子カメラに関し、特に画像信号と共に音信号を記憶可能な電子カメラに関する。
【０００２】
【従来の技術】
電子カメラの一タイプであるビデオカメラでは、画像信号と音信号の双方を磁気テープなどの記憶媒体に記憶可能であるが、近年においては、動画（或いは静止画）の撮影に合わせて周囲の音を録音できるデジタルスチルカメラも開発されている。このように電子カメラで記憶した画像信号と音信号とは、電子カメラに内蔵された液晶ディスプレイ及びスピーカで再生することで、その確認が可能である。以下の特許文献１には、スピーカを備え、記録された動画を液晶ディスプレイに再生しながら、記録された音声も再生できるデジタルスチルカメラが開示されている。
【特許文献１】
特開２００１−１９７４１４号公報
【０００３】
【発明が解決しようとする課題】
ところで、上述した電子カメラは、一般的には画像信号と音信号とを外部に出力する出力端子を有している。かかる出力端子と、外部のモニタとをケーブルを介して接続すると、より大きなディスプレイにより記録された画像を鑑賞でき、且つ高性能なスピーカにより音を聴取できる。ここで、外部のモニタとしては、種々の性能、特性を有するものがあるのに対し、従来の電子カメラから出力される音信号は特に処理されることなく、外部モニタに出力されているため、必ずしも外部のモニタのスピーカより発せられる音が最良とは限らないという問題がある。更に、撮像条件に合わせて、記録された音声などをより適切に再生したいという要求もある。
【０００４】
本発明は、かかる従来技術の問題点に鑑みてなされたものであり、より高音質な音を聴取者に提供できる電子カメラを提供することを目的とする。
【０００５】
【課題を解決するための手段】
第１の本発明の電子カメラは、光学像を画像信号に変換して取得する撮像部と、画像信号と音信号とを記憶する記憶部と、前記記憶部に記憶された画像信号と音信号とを外部のモニタに送信するインタフェース部と、前記インタフェース部を介して前記外部のモニタから音再生に関する情報を入力し、前記音再生に関する情報に応じて前記音信号を処理する音信号処理部とを有するので、例えば記憶された音信号はモノラル対応であるが、前記音再生に関する情報に基づいて、外部のモニタがステレオ対応スピーカを有することが判明した場合、前記処理部では、モノラル対応の音信号を疑似ステレオ化する処理を行い、処理後の音信号を前記外部のモニタに出力することで、聴取者は疑似ステレオ効果のある音を聴取できる。
【０００６】
更に、前記外部のモニタに対して、前記記憶部に記憶された画像信号と音信号とを送信する前に、前記インタフェース部を介して前記外部のモニタから音再生に関する情報を入力すると好ましい。
【０００７】
更に、前記音信号の処理とは、音量の変更、音質の変更、ステレオ信号／モノラル信号の切り替え、ステレオ信号におけるバランスの変更の少なくとも一つを含むと好ましい。
【０００８】
第２の本発明の電子カメラは、光学像を画像信号に変換して取得する撮像部と、画像信号と音信号とを記憶する記憶部と、前記記憶部に記憶された画像信号と音信号とを外部のモニタに送信するインタフェース部と、前記外部のモニタに対して出力する音信号の処理内容を選択する選択手段と、前記選択手段によって選択された処理内容に応じて、前記音信号を処理する音信号処理部とを有するので、例えば記憶された音信号はモノラル対応であるが、前記外部のモニタがステレオ対応スピーカを有する場合には、聴取者が前記選択手段を用いて、処理内容としてステレオ化処理を選択すれば、前記処理部では、モノラル対応の音信号を疑似ステレオ化する処理を行い、処理後の音信号を前記外部のモニタに出力することで、聴取者は疑似ステレオ効果のある音を聴取できる。
【０００９】
更に、前記音信号の処理とは、音量の変更、音質の変更、ステレオ信号／モノラル信号の切り替え、ステレオ信号におけるバランスの変更の少なくとも一つを含むと好ましい。尚、本明細書において、音信号の処理とは、低音強調、高音強調、ノイズリダクション、サラウンドシステムなどの処理が考えられ、具体的には、特開２００３−８７１３４号、特開２００１−１９５１００，特開２００１−６９５９７，特開平６−３０３６９２号公報等に記載の技術を用いることができる。
【００１０】
第３の本発明の電子カメラは、光学像を画像信号に変換して取得する撮像部と、前記画像信号取得時における撮像情報（例えば輝度、被写体距離情報、撮像日時等）と、前記画像信号取得時（すなわち撮像時）におけるユーザー設定情報（例えば風景モード、露出補正等、Ｅｘｉｆ情報を用いることができる）の少なくとも一方を記憶する情報記憶部と、画像信号と音信号とを記憶する記憶部と、前記情報記憶部に記憶された情報に基づいて、前記音信号を処理する音信号処理部とを有する。例えば、前記撮影情報又はユーザー設定情報より、屋内において撮像及び録音が行われたと判断されるような場合には、録音状態も良いと判断されるため、生の状態で音出力を行い、屋外において撮像及び録音が行われたと判断されるような場合には、音声などが聞き取れにくい恐れがあるので、中音域を上げるように処理した後、音出力を行うことが考えられる。
【００１１】
更に、前記記憶部に記憶された画像信号と、処理後の音信号とを外部のモニタに送信するインタフェース部を有し、前記音信号処理部は、前記外部のモニタに対して、前記記憶部に記憶された画像信号と音信号とを送信する前に、前記インタフェース部を介して前記外部のモニタから音再生に関する情報を入力し、前記音再生に関する情報及び前記情報記憶部に記憶されていた情報とに応じて前記音信号を処理すると好ましい。
【００１２】
【発明の実施の形態】
以下、図面を参照して本発明の実施の形態にかかるカメラを詳細に説明する。図１は、本発明を適用した電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１３】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、選択手段としてのＮＥＸＴボタン２１ｃ及び決定ボタン２１ｄを含む各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。閃光発光部は、ポップアップタイプのため図示されていない。又、図１では図示していないが、デジタルスチルカメラ１００の底部には、ここでは記憶部であるメモリカード９を装着するためのメモリスロットが設けられている。
【００１４】
図２は、デジタルスチルカメラ１００の機能的構成を示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、メモリ６、Ｄ／Ａ変換回路７、表示手段である画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、不揮発性メモリ部であるフラッシュ・メモリ２０、ズームスイッチＳＴ等を含む操作ＳＷ２１、閃光発光部２２、補助光発光部３０（ＡＦ用の補助光発光部や赤目軽減ランプと兼用できる）、スイッチング回路２３、情報表示部２６とから構成される。
【００１５】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ  Ｃｏｕｐｌｅｄ  Ｄｅｖｉｃｅ）３により構成され、光電変換された画像信号（アナログ信号）を撮像回路４ヘ出力する。
【００１６】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像信号を出力する。
【００１７】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像信号を出力し、Ｄ／Ａ変換回路７は、入力された画像信号をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像信号（たとえばＪＰＥＧ形式で）を出力し、圧縮伸長回路１０は、入力された画像信号に対してメモリカード９に出力する。
【００１８】
画像表示部（表示部ともいう）８は、ＴＦＴ（Ｔｈｉｎ  Ｆｉｌｍ  Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００１９】
メモリカード９は、ＣＰＵ１１より画像読み出し指示を受けると、圧縮伸長回路１０に読み出し指示された画像信号を出力し、圧縮伸長回路１０は、入力された画像信号の伸長処理を行ってメモリ６に出力する。
【００２０】
圧縮伸長回路１０は、メモリ６から入力された画像信号を所定の符号化方式で圧縮する圧縮回路と、読み出し指示された画像信号を画面表示するためにメモリカード９から入力された画像信号を復号化して伸長する伸長回路と、からなる。すなわち、圧縮伸長回路１０は、圧縮手段としての機能を有する。
【００２１】
画像処理手段、撮像条件変更手段及び処理条件変更手段であるＣＰＵ（Ｃｅｎｔｒａｌ  Ｐｒｏｃｅｓｓｉｎｇ  Ｕｎｉｔ）１１は、フラッシュ・メモリ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２２】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像信号の圧縮化を行い、メモリカード９に出力する。
【００２３】
ＴＧ（Ｔｉｍｉｎｇ  Ｇｅｎｅｒａｔｏｒ）１２は、所定のタイミング信号を発生して撮像回路４、ＣＰＵ１１、ＣＣＤドライバ１４に出力する。
【００２４】
ＡＥ（Ａｕｔｏ  Ｅｘｐｏｓｕｒｅ：自動露光制御）・ＡＦ（Ａｕｔｏ  Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像信号に対して実行される。
【００２５】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００２６】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像信号の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００２７】
ここで、ＣＰＵ１１、ＡＦ処理回路によるＡＦ処理について説明する。ＣＰＵ１１は、駆動手段である光学系駆動モータ駆動回路１８を駆動制御して、レンズユニット１の第２レンズ群を移動させながら、各レンズ位置で漸次ＣＣＤ３により画像信号を生成させる。ＡＥ・ＡＦ処理回路１３は、Ａ／Ｄ変換回路５から入力された画像信号毎にＡＦ評価値を算出し、その比較を行って最大ＡＦ評価値であるレンズ位置を合焦点として検出し、ＣＰＵ１１に出力する。
【００２８】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００２９】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は所定の位置に移動する。
【００３０】
電池１９は、デジタルスチルカメラ１００の各構成部に電力を供給する電力源であり、例えば、リチウム電池やアルカリ乾電池等が適用される。
【００３１】
フラッシュ・メモリ（ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）も使用可能）２０は、デジタルスチルカメラ１００の撮像に関る各種アプリケーションプログラム、処理プログラム等を記憶する他、後述する情報を記憶可能となっている。
【００３２】
操作ＳＷ（スイッチ）２１は、レリーズスイッチ２１ａや、ＮＥＸＴボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３３】
閃光発光部２２は、撮影時に検出された周囲環境の輝度が不足する場合に、被写体にストロボ光を発光する発光部であり、スイッチング回路２３によりその発光タイミングや発光量等が制御される。
【００３４】
マイク兼スピーカ（内蔵スピーカーともいうが、別体でも良い）２７は、撮影時の音や音声を収集し、音信号としてＣＰＵ１１に送信すると共に、ＣＰＵ１１から送信された音信号に基づいて、音や音声を発するように機能する。更に、音信号処理部であるＣＰＵ１１は、出力される音信号に基づく再生時に音量、音質等を変更するように音信号を処理する機能を有する。
【００３５】
インタフェース２８は、ケーブルＣにより外部のモニタＭに接続されることで、モニタＭより情報を受信したり、モニタＭに画像信号や音信号を送信したりできるようになっている。尚、インタフェース２８は、ケーブル等の優先でなくＩｒＤＡやブルートゥースのような無線で、モニタＭと通信しても良い。モニタＭは、ディスプレイＭＤとスピーカＭＳとを有しており、後述する音再生に関する情報を予め記憶しているものとする。
【００３６】
次に、本実施の形態にかかるデジタルスチルカメラ１００の動作について、図面を参照して説明する。図３は、デジタルスチルカメラ１００の動作の制御を示すフローチャートである。
【００３７】
まず、電源スイッチ（不図示）がオンとなっていることを前提に、図３のステップＳ１０１において、ＣＰＵ１１はモード判定を行う。すなわちユーザーによる操作スイッチ２１のモード設定ボタン（不図示）の操作に応じて再生モードが設定されていると判断した場合、ＣＰＵ１１は、ステップＳ１０２で、例えばケーブルＣが接続されており、外部のモニタＭと通信可能な状態になっているかどうか判断し、通信可能と判断すれば、ステップＳ１０３で、外部のモニタＭにアクセスして、音再生に関する情報を入力する。ここで、音再生に関する情報とは、外部のモニタＭの現在の特性又は設定を示す情報であり、例えば以下の内容を含む。
（１）設定音量：大、中、小
（２）音質：高域強調、低域強調、フラット
（３）ステレオ出力可能か否か
（４）設定バランス：（左１：右２）、（左１：右１）、（左２：右１）
ここで、モニタＭから得られた音再生に関する情報が、設定音量（小）、音質（低域強調）、ステレオ出力可能、設定バランス（左１：右２）を示していたとする。
【００３８】
ＣＰＵ１１は、ステップＳ１０４で、メモリカード９に画像信号と対応づけて記憶されている音信号を読み出し、入力した音再生に関する情報に基づいて、音信号の処理を行う。より具体的には、モニタＭの設定音量が（小）であるから、その設定状態で中程度の音量になるよう、音信号を増幅する。又、モニタＭの設定音質が（低域強調）であるから、フラット特性になるように、音信号にハイパスフィルタ等を適用する。更に、記憶されている音信号がモノラル対応の場合、それに疑似ステレオ化処理を施す。疑似ステレオ化処理に関しては、例えばＷＯ９９／３５８８６号に記載されているので、以下に詳細は記載しない。又、モニタＭの設定バランスが（左１：右２）である場合、聴取者の位置に合っているはずであるから、それは変更しないが、（左１：右１）となるように変更しても良い。尚、音信号の処理は、以上の変更に限られない。
【００３９】
ＣＰＵ１１は、ステップＳ１０５で、画像信号と、処理した音信号とを、インタフェース２８よりケーブルＣを介してモニタＭに出力する。それによりユーザーは、モニタＭのディスプレイＭＤで画像を鑑賞しながら、スピーカＭＳより最適な音質で再生される音を聴取できる。
【００４０】
次に、本発明の別な実施の形態について説明する。外部モニタＭから音再生に関する情報を入力できなかった場合、或いは音再生に関する情報を入力した場合でも、ユーザーの好みによりデジタルスチルカメラ１００側での音信号の処理を変更することができる。
【００４１】
図４は、デジタルスチルカメラ１００の背面の位置を拡大して示す図である。例えばモニタＭから音再生に関する情報を入力できなかった場合、或いは不図示のモード設定ボタンの操作により、マニュアル処理モードが設定されたと判断した場合には、ＣＰＵ１１は、図４に示す表示を画像表示部８に表示させる。ここで、ユーザーはＮＥＸＴボタン２１ｃを用いて、音信号の処理内容を任意に変更でき、決定ボタン２１ｄを押すことで、処理内容を決定してＣＰＵ１１に処理させることができる。処理された音信号は、上述した実施の形態と同様に、外部のモニタＭに送信される。
【００４２】
図５は、更に別な実施の形態のデジタルスチルカメラにおける再生時の制御フローチャートである。尚、デジタルスチルカメラの構成自体は、図１，２に示すものと同様である。ステップＳ２０１において、ＣＰＵ１１は、再生モードが設定されていないと判断すればフローを終了するが、再生モードが設定されていると判断すれば、ステップＳ２０２で、メモリカード９より音データの読み出しを行う。
【００４３】
更に、ステップＳ２０３において、ＣＰＵ１１は、例えばケーブルＣが接続されているかどうか判断し、接続されていないと判断すれば、ステップＳ２１１で、音再生に関する情報（音再生情報ともいう）として内蔵スピーカー用標準値を設定し、それに基づきステップＳ２１２で音信号処理を行い、ステップＳ２１３で、処理された音信号を内蔵スピーカー２７を介して出力する。内蔵スピーカー２７は、カメラボディのコンパクト化を図るべく一般的には外径が小さくされていることから低音が出にくい傾向があるが、これを補正するように低音を強調すると好ましい。
【００４４】
一方、ステップＳ２０３において、ケーブルＣを介して外部のモニタＭと接続されていると判断した場合、ＣＰＵ１１は、更にステップＳ２０４において、通信可能な状態にあるか否かを判断する。ここで、外部モニタＭが情報を送信できるタイプでなければ、ＣＰＵ１１は、通信不能と判断し、ステップＳ２１０で、音再生情報として外部モニタ用標準値を設定し、それに基づきステップＳ２０８で音信号処理を行い、ステップＳ２１３で、処理された音信号を外部モニタへ出力する。
【００４５】
これに対し、外部モニタＭが情報を送信できるタイプであれば、ＣＰＵ１１は、ステップＳ２０４で通信可能と判断するので、ステップＳ２０５で、外部のモニタＭから音再生情報を入力する。更に、ステップＳ２０６で、情報記憶部を兼ねるメモリカード９に記憶されていた撮影データを読み出すことで撮影情報（撮像情報）及びユーザー設定情報（例えばシーンモード）を取得し、ステップＳ２０７で、外部モニタＭからの音再生情報と、取得した情報とに基づいて、外部モニタ用カスタム値を創成する。ＣＰＵ１１は、この創成した外部モニタ用カスタム値に基づいて、ステップＳ２０８で音信号処理を行い、ステップＳ２１３で、処理された音信号を外部モニタへ出力する。それにより、撮像及び録音が屋内で行われた家屋内で屋外で行われたかなど、撮像時の条件を加味した上で、最適な音を外部モニタＭから出力させることができる。
【００４６】
以上、本発明を実施の形態を参照して説明してきたが、本発明は上記実施の形態に限定して解釈されるべきではなく、適宜変更・改良が可能であることはもちろんである。例えば、電子カメラには、デジタルスチルカメラに限らずビデオカメラも含まれる。
【００４７】
【発明の効果】
本発明によれば、より高音質な音を聴取者に提供できる電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態にかかるデジタルスチルカメラで実行される処理を説明するフローチャートである。
【図４】デジタルスチルカメラ１００の背面の一部を示す図である。
【図５】更に別な実施の形態のデジタルスチルカメラにおける再生時の制御フローチャートである。
【符号の説明】
８  画像表示部
１１  ＣＰＵ
２１  操作スイッチ
１００  デジタルスチルカメラ
Ｍ  外部のモニタ
【図１】
2004343484.tif 000003
【図２】
2004343484.tif 000004
【図３】
2004343484.tif 000005
【図４】
2004343484.tif 000006
【図５】
2004343484.tif 000007